(57)【要約】【課題】光ファイバの誤接続防止機能を実現する。  【解決手段】  光源、光源から出力された光にディザ変調をかけるディザ変調器を含む送信部と、送信部から出力される信号光を送信する光ファイバと、光ファイバにより送信される信号光の一部を監視光として分岐する光分岐デバイスと、記監視光の周波数を検出する周波数検出器と、監視光の周波数とディザ変調器に設定した変調周波数とが一致するかどうかを検出する検出器と、を備える。周波数検出器は、例えば監視光を電気信号に変換する光電変換素子と、電気信号をフーリエ変換するフーリエ変換器と、フーリエ変換された信号の周波数を切り出す周波数可変フィルタとを備えている。【選択図】図１
2013005216.tif 000002
【特許請求の範囲】
【請求項１】
光源と該光源から出力された光にディザ変調をかけるディザ変調器とを含む送信部と、
前記送信部から出力される信号光を送信する光ファイバと、
前記光ファイバにより送信される信号光の一部を監視光として分岐する光分岐デバイスと、
前記監視光の周波数を検出する周波数検出器と、
前記監視光の周波数と前記ディザ変調器に設定した変調周波数とが一致するかどうかを検出する検出器と、を備えた光伝送システム。
【請求項２】
前記周波数検出器は、前記監視光を電気信号に変換する光電変換素子と、該電気信号をフーリエ変換するフーリエ変換器と、フーリエ変換された信号の周波数を切り出す周波数可変フィルタとを備えていることを特徴とする請求項１に記載の光伝送システム。
【請求項３】
前記検出器は、ディザ変調器の変調周波数を設定するネットワーク管理システム（NMS）と、前記周波数検出器の出力と前記ネットワーク管理システムで設定する前記変調周波数とが入力されるアンド回路とを備えていることを特徴とする請求項１又は２に記載の光伝送システム。
【請求項４】
前記送信部と、前記送信部と光ファイバを介して接続されるアグリゲーター部と、前記アグリゲーター部と光ファイバを介して接続されるセレクタ部と、前記セレクタ部と光ファイバを介して接続される波長クロスコネクト部とを備え、
前記アグリゲーター部、前記セレクタ部及び前記波長クロスコネクト部の少なくとも１つに、前記光分岐デバイスと前記周波数検出器を備えていることを特徴とする請求項１から３のいずれかに記載の光伝送システム。
【請求項５】
光源から出力された光にディザ変調器によりディザ変調をかけた信号光を、光ファイバを介して送信し、
前記光ファイバにより送信される信号光の一部を監視光として分岐し、該監視光の周波数を検出し、
前記監視光の周波数と前記ディザ変調器に設定した変調周波数とが一致するかどうかを検出することを特徴とする光伝送方法。
【請求項６】
前記送信部と、前記送信部と光ファイバを介して接続されるアグリゲーター部と、前記アグリゲーター部と光ファイバを介して接続されるセレクタ部と、前記セレクタ部と光ファイバを介して接続される波長クロスコネクト部とを備えた光伝送システムの光伝送方法であって、
前記アグリゲーター部、前記セレクタ部及び前記波長クロスコネクト部の少なくとも１つが、前記光ファイバにより送信される信号光の一部を監視光として分岐し、該監視光の周波数を検出する動作を行うことを特徴とする請求項５に記載の光伝送方法。
【請求項７】
送信されたディザ変調信号光の一部を監視光として分岐する光分岐デバイスと、該監視光が入力される光チャネルモニタとを備え、
前記光チャネルモニタは、前記監視光を電気信号に変換する光電変換素子と、該電気信号をフーリエ変換するフーリエ変換器と、フーリエ変換された信号の周波数を切り出す周波数可変フィルタと、該周波数可変フィルタから出力される周波数スペクトルのピークを演算する演算部とを有する光伝送システム。
【請求項８】
送信されたディザ変調信号光の一部を監視光として分岐し、光電変換素子で前記監視光を電気信号に変換し、該電気信号をフーリエ変換し、フーリエ変換された信号の周波数を切り出し、その周波数スペクトルのピークを求めることを特徴とする光伝送方法。
【発明の詳細な説明】
【技術分野】
【０００１】
本発明は、光伝送システム及び光伝送方法に係わり、特にディザ変調による光ファイバ誤接続防止の検知機能を持った光伝送システム及び光伝送方法に関する。
【背景技術】
【０００２】
従来の波長分割多重伝送（以下、WDMと称す）システムでは、WDM伝送網の信頼性・利便性を高める上で欠かせないNetwork  Management  System(ネットワーク管理システム、以下、NMSと称す) において、全体の伝送路網（装置間の光パス情報を含む）を管理している。具体的に、NMSは、光パス設定に関する接続情報（波長、接続先ノードに関するデータ）のデータベースを備えており、各装置にリモート操作により一元的に光パス設定・変更をできるようになっている。その光パス情報を、装置内の各機能を持つラインカードに対し、プロビジョニングを行う。
【０００３】
本願発明に関連する技術としては、特許文献１に、光ファイバに振動ピストンによりディザ信号を加え、操作された光ファイバを検出することの記載がある。
【先行技術文献】
【特許文献】
【０００４】
【特許文献１】特開２０１０−２２４５４１号公報（段落００２５、００２６等）
【発明の概要】
【発明が解決しようとする課題】
【０００５】
従来の NMS及びOCMにおいては、次のような課題がある。ここで、OCMはOptical Channel Moniter (光チャンネルモニタ)の略である。
【０００６】
第１の課題は、NMSは、論理的に伝送路網のネットワークパスを敷設する機能を有するが、物理的に光ファイバが正常に繋がっているかまでは検知できないということである。
【０００７】
第２の課題は、OCMは、あるノード内での光信号の光パワーと波長数を検出する機能を有するが、OCMがどの波長が伝送しているのかまでは検知できないということである。
【０００８】
近年、WDMシステムは、更なる大容量化／高速化へと進んでおり、装置間といえども、光ファイバ配線の複雑化は必然的である。それ故、光ファイバの誤接続を回避することは、非常に重要な要素となっている。
【０００９】
本発明の目的は、WDMシステムに用いられる構成において、現在の光伝送装置構成では、実現出来なかった光ファイバの誤接続防止機能を実現することにある。
【課題を解決するための手段】
【００１０】
本発明に係わる光伝送システムは、光源と該光源から出力された光にディザ変調をかけるディザ変調器とを含む送信部と、
前記送信部から出力される信号光を送信する光ファイバと、
前記光ファイバにより送信される信号光の一部を監視光として分岐する光分岐デバイスと、
前記監視光の周波数を検出する周波数検出器と、
前記監視光の周波数と前記ディザ変調器に設定した変調周波数とが一致するかどうかを検出する検出器と、を備えた光伝送システムである。
【００１１】
本発明に係わる光伝送方法は、光源から出力された光にディザ変調器によりディザ変調をかけた信号光を、光ファイバを介して送信し、
前記光ファイバにより送信される信号光の一部を監視光として分岐し、該監視光の周波数を検出し、
前記監視光の周波数と前記ディザ変調器に設定した変調周波数とが一致するかどうかを検出することを特徴とする光伝送方法である。
【００１２】
また本発明に係わる光伝送システムは、送信されたディザ変調信号光の一部を監視光として分岐する光分岐デバイスと、該監視光が入力される光チャネルモニタとを備え、
前記光チャネルモニタは、前記監視光を電気信号に変換する光電変換素子と、該電気信号をフーリエ変換するフーリエ変換器と、フーリエ変換された信号の周波数を切り出す周波数可変フィルタと、該周波数可変フィルタから出力される周波数スペクトルのピークを演算する演算部とを有する光伝送システムである。
【００１３】
また本発明に係わる光伝送方法は、送信されたディザ変調信号光の一部を監視光として分岐し、光電変換素子で前記監視光を電気信号に変換し、該電気信号をフーリエ変換し、フーリエ変換された信号の周波数を切り出し、その周波数スペクトルのピークを求めることを特徴とする光伝送方法である。
【発明の効果】
【００１４】
本発明によれば、監視光の周波数とディザ変調器に設定した変調周波数とが一致するかどうかを検出しているので、光ファイバの誤検出の検知ができる。また、OCMがどの波長が伝送しているのかを検知することができる。
【図面の簡単な説明】
【００１５】
【図１】本発明に係わる波長分割多重伝送（以下、WDMと称す）システムの一例の基本構成を示す図である。
【図２】（ａ）〜（ｅ）は図１及び図４ａ〜図４ｃに示す各部の信号波形を示す図である。
【図３】RODAM部の構成を示すブロック図である。
【図４ａ】図３のRODAM部の各構成部を示し、トランスポンダー部、AGGREGATOER部、及びこれらの間の接続を示すブロック図である。
【図４ｂ】図３のRODAM部の各構成部を示し、AGGREGATOR部、SELECTOR部、及びこれらの間の接続を示すブロック図である。
【図４ｃ】図３のRODAM部の各構成部を示し、SELECTOR部、WXC部、及びこれらの間の接続を示すブロック図である。
【図５ａ】図３のRODAM部の他の例の各構成部を示し、トランスポンダー部、AGGREGATOER部、及びこれらの間の接続を示すブロック図である。
【図５ｂ】図３のRODAM部の他の例の各構成部を示し、AGGREGATOR部、SELECTOR部、及びこれらの間の接続を示すブロック図である。
【図５ｃ】図３のRODAM部の他の例の各構成部を示し、SELECTOR部、WXC部、及びこれらの間の接続を示すブロック図である。
【図６】光チャンネルモニタを含むＷＤＭシステムに用いられるに関する構成を示すブロック図である。
【発明を実施するための形態】
【００１６】
以下、本発明に係わる実施形態について図面を用いて詳細に説明する。
（実施形態１）
図１は、本発明に係わる波長分割多重伝送（WDM）システムの実施形態の一例の基本構成を示す図である。
【００１７】
送信側のトランスポンダー部(送信部)１００−１〜１００−ｎの内部には、光源（ＬＤ）１０１−１〜１０１−ｎ、信号伝送用に強度変調/位相変調等の変調をかける変調器（ＭＯＤ）１０２−１〜１０２−ｎ、微小変調（ディザ変調）をかけるディザ変調器（ディザＭＯＤ）１０３−１〜１０３−ｎを有する。このように、光源（ＬＤ）１０１−１〜１０１−ｎ、変調器（ＭＯＤ）１０２−１〜１０２−ｎ、ディザ変調器（ディザＭＯＤ）１０３−１〜１０３−ｎを有することで、各トランスポンダーから出力される光信号に対し、意図的に微小変調（ディザ変調）をかけ、主信号光をラベリングする。NMS１５０では、各波長に割り当てる変調周波数を管理する。変調器（ＭＯＤ）１０２−１〜１０２−ｎは、光源（ＬＤ）１０１−１〜１０１−ｎから出力されるCW光に対し、伝送すべき信号の強度変調/位相変調を行う。合波器１１０で、各トランスポンダーから出力される光信号を合波するが、複数のトランスポンダーからの光信号を合波させるときの手段は問わない。
【００１８】
次に、例えば、光分岐デバイス１２０で、主信号光と監視光に分岐させ、周波数検出器１３０に監視光を入力する。周波数検出器１３０は光電変換素子となるPD１３１、高速フーリエ変換部（FFT）１３２(フーリエ変換器となる)、可変フィルタ（周波数可変フィルタ）１３３を備える。可変フィルタ１３３で各周波数を切り出したものと、NMS１５０で各トランスポンダーに設定した変調周波数とが、一致or不一致しているかで、光ファイバの繋ぎが適切か否かを判断できる。トランスポンダー部(送信部)１００−１〜１００−ｎと合波器１１０との間は光ファイバで接続され、この光ファイバの繋ぎが適切か否かを判断することができる。可変フィルタ１３３で各周波数を切り出した信号とNMS１５０で設定される変調周波数信号とを検出回路１４０に入力し、一致、不一致を検出し、光ファイバの繋ぎが適切か否かを判断する。検出回路１４０はここではアンド回路で構成しているが、回路構成は特に限定されない。このように本実施形態では、光信号にディザ変調をかけ、分岐させた監視光から周波数を求め、NMSが設定した変調周波数と比較して、光ファイバ誤検出検知機能を提供する。
【００１９】
図３を参照すると、本実施形態の構成が使用される構成例として、Colorless（カラーレス），Contentionless（コンテンションレス），Directionless（ディレクションレス）を同時に実現するRODAM（reconfigurable optical add/drop multiplexer）構成が示されている。
【００２０】
実施例の構成を実現する各機能の説明を以下に記す。
【００２１】
・Colorless（カラーレス）とは、ROADM のどのポートにトランスポンダーを接続した場合でも、システムで使用する全てのチャネル（波長）で主信号線との接続が可能なことである。この際、同時に使用している他のトランスポンダーや、主信号が該当チャネルを占有していないものと仮定してよい。
【００２２】
・Contentionless（コンテンションレス）とは、Directionless （ディレクションレス）機能をもつROADM において、接続した複数の方路との接続が同一チャネル（波長）であっても、トランスポンダーと接続可能なことである。例えば４方路、４トランスポンダーを実装しているROADMの場合で各トランスポンダーをそれぞれ異なる方路へ接続する際、4トランスポンダーが同時に同一チャネル（波長）で接続することが可能である。
【００２３】
・Directionless（ディレクションレス）とは、ROADM のどのポートにトランスポンダーを接続した場合でも、ROADM に接続している全ての方路の主信号と接続可能なことである。この際、少なくとも該方路の接続チャネルだけが空チャネルであれば良い。
【００２４】
図３に記載しているＲＯＤＡＭ構成を実現している各部が有する機能を以下に説明する。ＲＯＤＡＭ部２００は波長クロスコネクト（Wavelength Cross Connect、以下、WXCという）部２１０、セレクタ（SELECTOR）部２２０、アグリゲーター（AGGREGATOR）部２３０、トランスポンダー（ＴＰＮＤ）部２４０を備えている。
【００２５】
WXC部２１０では、特定の方路からの信号を分割し、指定の方路へ転送する機能や、ローカルのTPNDで受信するためにドロップ端子に出力することが出来る。
【００２６】
SELECTOR部２２０では、方路選択された光Drop信号の波長単位の方路切替制御を行い、ローカルのTPNDで受信するために、Drop端子に出力する機能や、方路選択された光Add信号の合波を行い、Add端子に出力する。
【００２７】
AGGREGATOR部２３０では、任意の入力ポートからの光信号を、任意の単一の出力ポート、もしくは複数（or全部）の出力ポートに対して、ローカルのTPNDで受信するために、Drop端子に、同時に出力する機能や、任意の入力ポートからの光信号を、任意の単一の出力ポート、もしくは複数（or全部）の出力ポートに対して、Ａｄｄ端子に、同時に出力する。
【００２８】
図４ａ，図４ｂ，図４ｃを参照すると、図３に示すＲＯＤＡＭ部の詳細な構成が示されている。
【００２９】
図において、ＲＯＤＡＭ構成を実現している各部に、周波数変調検出機能を実装させ、トランスポンダーとの繋がりだけでなく、各部間において、光ファイバ誤接続を検知する。トランスポンダー（ＴＰＮＤ）部２４０とアグリゲーター（AGGREGATOR）部２３０との間、アグリゲーター（AGGREGATOR）部２３０とセレクタ（SELECTOR）部２２０との間、セレクタ（SELECTOR）部２２０と波長クロスコネクト部２１０との間はそれぞれ光ファイバで接続される。図４ａ〜図４ｃでは、光ファイバ誤接続の検知は、トランスポンダー（ＴＰＮＤ）部２４０とアグリゲーター（AGGREGATOR）部２３０との間、アグリゲーター（AGGREGATOR）部２３０とセレクタ（SELECTOR）部２２０との間、セレクタ（SELECTOR）部２２０と波長クロスコネクト部２１０との間で行っている。しかし、トランスポンダー（ＴＰＮＤ）部２４０とアグリゲーター（AGGREGATOR）部２３０との間、アグリゲーター（AGGREGATOR）部２３０とセレクタ（SELECTOR）部２２０との間、セレクタ（SELECTOR）部２２０と波長クロスコネクト部２１０との間のうちのいずれか又は2以上の区間で光ファイバ誤接続の検知を行ってもよい。
【００３０】
図４ａはトランスポンダー部、AGGREGATOER部、及びこれらの間の接続を示すブロック図である。図４ｂはAGGREGATOR部、SELECTOR部、及びこれらの間の接続を示すブロック図である。図４ｃはSELECTOR部、WXC部、及びこれらの間の接続を示すブロック図である。
【００３１】
図４ａ〜図４ｃは、光ファイバの繋ぎに1連ファイバを用いる構成としているため、各部のadd側、Drop側にそれぞれ周波数変調検出機能を実装している。
【００３２】
光ファイバの繋ぎに2連ファイバを用いると、送受一対で繋ぎ合わせるので、add側かDrop側のみに周波数変調検出機能を実装すればよいだけになる。
【００３３】
Drop側の信号は、ノード間伝送されてきた信号であり伝搬中に雑音の影響を受けているため、Add側に周波数変調検知機能を実装し、NMSと同時に監視すれば光ファイバ誤検出を防ぐことが出来る。図５ａ〜図５ｃに構成を示している。図５ａ〜図５ｃにおいて図４ａ〜図４ｃと同一構成部材については同一符号を付して説明を省略する。
【００３４】
次に図１及び図４ａ〜図４ｃの動作を、図２に示す信号波形を使用して説明する。
【００３５】
図２において、トランスポンダー（ＴＰＮＤ）部２４０内部に搭載されている光源２４１の出力は、図２（ａ）のように強度一定でCW光として出力される。CW光は、変調器（ＭＯＤ）２４２で信号伝送用に強度変調/位相変調等の変調がかけられる。CW光に変調がかかった信号は、NMSが指定する変調周波数に応じて、ディザＭＯＤ２４３でラベリング用に意図的に微小変調（ディザ変調）をかける。ディザ変調をかけた後の信号波形を図２（ｂ）に一例として示す。このときNMS２５０にはトランスポンダーの波長や、トランスポンダーが繋がるportを考慮して、変調周波数を事前にデータベース化等をしておく。
【００３６】
主信号は、AGGREGATOER部２３０内の光分岐デバイスによって、主信号光と監視光に分岐される。主信号光はスイッチングデバイス２３１を介して出力される。監視光はまず光電変換素子となるPD（Photo Diode）２３２で受ける。PD受信波形を図２（ｃ）に示す。この信号波形では、各周波数成分が入り混じっている為、どの波長が伝送されているのか判別は出来ない。周波数成分を抽出できれば、どの波長が伝送されているか判別できるので、受信信号に対し、ＦＦＴ２３３で高速フーリエ変換(FFT)を行い、ある任意の時間波形を、周波数波形として変換する。このときに、FFT後の波形を図２（ｄ），可変フィルタ（周波数可変フィルタ）２３４で可変フィルタ後の波形を図２（ｅ）に示す。図１の事例で、例えば、トランスポンダーにλ1(変調周波数f1)とλn(変調周波数fn)という2波が伝送されていた時に、FFT後、f1とfnにそれぞれピークが表れ、λ1とλｎという信号が伝送されていることが分かる。可変フィルタ２３４で各周波数を切り出したものと、ＮＭＳ２５１でトランスポンダーに設定した変調周波数とが、一致ｏｒ不一致しているかで、光ファイバの繋ぎが適切か否か判断できる。可変フィルタ２３４で各周波数を切り出した信号とＮＭＳ２５１で設定される変調周波数信号とをアンド回路等の検出回路２６１に入力し、一致、不一致を検出し、光ファイバの繋ぎが適切か否かを判断する。
【００３７】
上述したトランスポンダー（ＴＰＮＤ）部２４０とAGGREGATOER部２３０の構成は、送信側に係る構成である。トランスポンダー（ＴＰＮＤ）部２４０の受信側には、主信号光を受けるレシーバ（RCV）２４７、監視光が入力されるPD244、高速フーリエ変換を行うＦＦＴ245、可変フィルタ２４６を備えている。AGGREGATOER部２３０の受信側には、主信号光を出力するスイッチングデバイス２３８、監視光が入力されるPD２３５、高速フーリエ変換を行うＦＦＴ２３６、可変フィルタ２３７を備えている。可変フィルタ２３７、２４６で各周波数を切り出したものと、NMS２５２で設定した変調周波数とが、一致or不一致しているかで、光ファイバの繋ぎが適切か否か判断できる。可変フィルタ２３７、２４６で各周波数を切り出した信号とNMS２５３で設定した変調周波数信号とをアンド回路等の検出回路２６２に入力し、一致、不一致を検出し、光ファイバの繋ぎが適切か否かを判断する。
【００３８】
以上の説明は、図４ａのトランスポンダー（ＴＰＮＤ）部２４０とAGGREGATOER部２３０との間における、光ファイバの繋ぎが適切か否かを判断するための構成及び動作である。かかる動作は、図４ｂに示すAGGREGATOER部２３０とSELECTOR部２２０との間、及び図４ｃに示すSELECTOR部２２０とWXC部２１０との間でも、同様な構成により実現される。
【００３９】
図４ｂに示すSELECTOR部２２０は送信側に合波デバイス２２１、ＰＤ２２２、ＦＦＴ２２３、可変フィルタ２２４を有し、受信側に分波デバイス２２５、ＰＤ２２６、ＦＦＴ２２７、可変フィルタ２２８を有する。AGGREGATOER部２３０とSELECTOR部２２０との間の送信側にはＮＭＳ２７１、検出回路２８１が配置される。AGGREGATOER部２３０とSELECTOR部２２０との間の受信側にはＮＭＳ２７２、検出回路２８２が配置される。
【００４０】
図４ｃに示すＷＸＣ部２１０は送信側に合波デバイス２１１、ＰＤ２１２、ＦＦＴ２１３、可変フィルタ２１４を有し、受信側に分波デバイス２１５、ＰＤ２１６、ＦＦＴ２１７、可変フィルタ２１８を有する。ＷＸＣ部２１０とSELECTOR部２２０との間の送信側にはＮＭＳ２９１、検出回路３０１が配置される。ＷＸＣ部２１０とSELECTOR部２２０との間の受信側にはＮＭＳ２９２、検出回路３０２が配置される。
【００４１】
（実施形態２）
本発明の第２の実施形態は、波長分割多重伝送システムに用いられる光チャンネルモニタ（以下、OCMを称す）に関する構成である。その構成を図６に示す。
【００４２】
図６を参照すると、WDMシステムの一例が示されており、上流ノードから光ファイバを介して送出されたWDM信号光は、光増幅器４１０を経由して光分岐デバイス４２０によって分岐され、監視ＷＤＭ光が光スイッチングデバイス４３０に入力される。光分岐デバイス４２０からの主信号ＷＤＭ光は他の光増幅器を経由して他の光分岐デバイスによって分岐され、監視ＷＤＭ光が光スイッチングデバイス４３０に入力される。光スイッチングデバイスは監視ＷＤＭ光を順次ＯＣＭデバイス４４０に入力する。上流ノードからくるWDM信号光の波長，SN比，本数などのパラメータは任意とするが、各波長に対しての変調周波数はNMSが管理しているものとする。
【００４３】
ＯＣＭデバイス４４０は、ＰＤ４４１、ＦＦＴ４４２、可変フィルタ４４３、演算部４４４からなる。
【００４４】
演算部４４４でFFT後の周波数スペクトルのピークを演算すると、どの波長が伝送されているか、また各波長の信号光powerも求めることができる。
【００４５】
なお、演算部４４４は周波数スペクトルのピークを演算するだけでなく、各波長に対しての変調周波数を管理するNMSから変調周波数を出力し、各光分岐デバイスからの監視光から周波数を求め、この周波数と変調周波数とが、一致or不一致しているかで、光ファイバの繋ぎが適切か否か判断できる。例えば、光分岐デバイス４２０からの監視光については監視光の周波数とNMSからの変調周波数とが一致していれば、光ファイバの繋ぎが適切と判断できる。次に、光分岐デバイス４２０の先の光分岐デバイスからの監視光については監視光の周波数とNMSからの変調周波数とが不一致ならば、光分岐デバイス４２０とその先の光分岐デバイスとの間の光ファイバの繋ぎが不適切と判断できる。
【００４６】
以上、本発明の代表的な実施形態について説明したが、本発明は、本願の請求の範囲によって規定される、その精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。
【００４７】
上記の実施形態の一部又は全部は、以下の付記のようにも記載されうるが、以下の構成には限られない。
（付記１）
光源と該光源から出力された光にディザ変調をかけるディザ変調器とを含む送信部と、
前記送信部から出力される信号光を送信する光ファイバと、
前記光ファイバにより送信される信号光の一部を監視光として分岐する光分岐デバイスと、
前記監視光の周波数を検出する周波数検出器と、
前記監視光の周波数と前記ディザ変調器に設定した変調周波数とが一致するかどうかを検出する検出器と、を備えた光伝送システム。
（付記２）
前記周波数検出器は、前記監視光を電気信号に変換する光電変換素子と、該電気信号をフーリエ変換するフーリエ変換器と、フーリエ変換された信号の周波数を切り出す周波数可変フィルタとを備えていることを特徴とする付記１に記載の光伝送システム。
（付記３）
前記検出器は、ディザ変調器の変調周波数を設定するネットワーク管理システム（NMS）と、前記周波数検出器の出力と前記ネットワーク管理システムで設定する前記変調周波数とが入力されるアンド回路とを備えていることを特徴とする付記１又は２に記載の光伝送システム。
（付記４）
前記送信部と、前記送信部と光ファイバを介して接続されるアグリゲーター部と、前記アグリゲーター部と光ファイバを介して接続されるセレクタ部と、前記セレクタ部と光ファイバを介して接続される波長クロスコネクト部とを備え、
前記アグリゲーター部、前記セレクタ部及び前記波長クロスコネクト部の少なくとも１つに、前記光分岐デバイスと前記周波数検出器を備えていることを特徴とする付記１から３のいずれかに記載の光伝送システム。
（付記５）
光源から出力された光にディザ変調器によりディザ変調をかけた信号光を、光ファイバを介して送信し、
前記光ファイバにより送信される信号光の一部を監視光として分岐し、該監視光の周波数を検出し、
前記監視光の周波数と前記ディザ変調器に設定した変調周波数とが一致するかどうかを検出することを特徴とする光伝送方法。
（付記６）
前記送信部と、前記送信部と光ファイバを介して接続されるアグリゲーター部と、前記アグリゲーター部と光ファイバを介して接続されるセレクタ部と、前記セレクタ部と光ファイバを介して接続される波長クロスコネクト部とを備えた光伝送システムの光伝送方法であって、
前記アグリゲーター部、前記セレクタ部及び前記波長クロスコネクト部の少なくとも１つが、前記光ファイバにより送信される信号光の一部を監視光として分岐し、該監視光の周波数を検出する動作を行うことを特徴とする付記５に記載の光伝送方法。
（付記７）
送信されたディザ変調信号光の一部を監視光として分岐する光分岐デバイスと、該監視光が入力される光チャネルモニタとを備え、
前記光チャネルモニタは、前記監視光を電気信号に変換する光電変換素子と、該電気信号をフーリエ変換するフーリエ変換器と、フーリエ変換された信号の周波数を切り出す周波数可変フィルタと、該周波数可変フィルタから出力される周波数スペクトルのピークを演算する演算部とを有する光伝送システム。
（付記８）
送信されたディザ変調信号光の一部を監視光として分岐し、光電変換素子で前記監視光を電気信号に変換し、該電気信号をフーリエ変換し、フーリエ変換された信号の周波数を切り出し、その周波数スペクトルのピークを求めることを特徴とする光伝送方法。
【符号の説明】
【００４８】
１００−１〜１００−ｎ  トランスポンダー部
１０１−１〜１０１−ｎ  光源（ＬＤ）
１０２−１〜１０２−ｎ  変調器（ＭＯＤ）
１０３−１〜１０３−ｎ  ディザ変調器（ディザＭＯＤ）
１２０  光分岐デバイス
１３０  検出器
１３１  PD
１３２  高速フーリエ変換部（FFT）
１３３  可変フィルタ
１４０  検出回路
１５０  NMS
４１０  光増幅器
４２０  光分岐デバイス
４３０  光スイッチングデバイス
４４０  ＯＣＭデバイス
【図１】
2013005216.tif 000003
【図２】
2013005216.tif 000004
【図３】
2013005216.tif 000005
【図４ａ】
2013005216.tif 000006
【図４ｂ】
2013005216.tif 000007
【図４ｃ】
2013005216.tif 000008
【図５ａ】
2013005216.tif 000009
【図５ｂ】
2013005216.tif 000010
【図５ｃ】
2013005216.tif 000011
【図６】
2013005216.tif 000012